(57)【要約】【課題】  制水弁開閉軸の振れをより安定に極めて効果的に防止することができると共に、構造が簡単であり、取付け取外し操作も簡便となるようにした。【解決手段】地中に埋設されている筐体の内部に設置された制水弁の開閉を操作する制水弁開閉軸の振れ止金物であり、制水弁開閉軸に遊嵌され、制水弁開閉軸に設けたストッパー上に載置可能に形成されたリング体と、リング体の外側面から前記筐体の内壁面に向って放射状に延設され、筐体の内壁面との間に所要の間隙を設けて上方へ所要高さ立ち上げ形成された上部振れ止枠体とからなり、さらに上部振れ止枠体の下部に筐体の内壁面との間に所要の間隙を設けて下方へ所要長さ垂下形成された下部振れ止枠体を一体に設けてなる。【選択図】  図５
2005061191.tif 000002
【特許請求の範囲】
【請求項１】
地中に埋設されている筐体の内部に設置された制水弁の開閉を操作する制水弁開閉軸の振れ止金物であって、前記制水弁開閉軸に遊嵌され、かつこの制水弁開閉軸に設けたストッパー上に載置可能に形成されたリング体と、このリング体の外側面から前記筐体の内壁面に向って放射状に延設され、かつこの筐体の内壁面との間に所要の間隙を設けて上方へ所要高さ立ち上げ形成された上部振れ止枠体とからなることを特徴とする振れ止金物。
【請求項２】
請求項１に記載の振れ止金物において、前記上部振れ止枠体の下部に、筐体の内壁面との間に所要の間隙を設けて下方へ所要長さ垂下形成された下部振れ止枠体を一体に設けてなることを特徴とする振れ止金物。
【請求項３】
請求項２に記載の振れ止金物において、上部振れ止枠体の上端および下部振れ止枠体の下端に設けた連結杆部間に、障害物回避用の切欠部を設けたことを特徴とする振れ止金物。
【発明の詳細な説明】
【技術分野】
【０００１】  本発明は、地中に埋設されている筐体の内部に設置された制水弁の開閉を操作する制水弁開閉軸の振れ止金物に関するものである。
【背景技術】
【０００２】  従来、地中に埋設されている筐体の内部に設置された制水弁の開閉を操作する制水弁開閉軸の振れ止金具としては、例えば特開２００１−６５００４号公報などにより公知である。
【特許文献１】  特開２００１−６５００４号公報
【発明の開示】
【発明が解決しようとする課題】
【０００３】  ところが、上記従来の技術は、制水弁開閉軸に取り付けられる振れ止め体が、この制水弁開閉軸の側方から嵌着可能に２つに分割形成されたほぼ円弧状の鍔状体からなる振れ止め基部材（ストッパー）と、この振れ止め基部材（ストッパー）上に載置される振れ止め板部材とからなるものであって、振れ止め体全体が薄板状のものとなり、振れ止め体として安定性に欠ける憾みがあったばかりでなく、構造が複雑で、コストが高く、しかも取付け取外し操作が面倒であるなどの問題点があった。
【課題を解決するための手段】
【０００４】  本発明の振れ止金物は、上記課題を解決することを目的とし、地中に埋設されている筐体の内部に設置された制水弁の開閉を操作する制水弁開閉軸の振れ止金物であって、前記制水弁開閉軸に遊嵌され、かつこの制水弁開閉軸に設けたストッパー上に載置可能に形成されたリング体と、このリング体の外側面から前記筐体の内壁面に向って放射状に延設され、かつこの筐体の内壁面との間に所要の間隙を設けて上方へ所要高さ立ち上げ形成された上部振れ止枠体とからなることを特徴とする。【０００５】  また、本発明の振れ止金物は、前記上部振れ止枠体の下部に、筐体の内壁面との間に所要の間隙を設けて下方へ所要長さ垂下形成された下部振れ止枠体を一体に設けてなることを特徴とする。【０００６】  さらにまた、本発明の振れ止金物は、前記上部振れ止枠体の上端および下部振れ止枠体の下端に設けた連結杆部間に、障害物回避用の切欠部を設けたことを特徴とする。
【発明の効果】
【０００７】  本発明に係る振れ止金物は、地中に埋設されている筐体の内部に設置された制水弁の開閉を操作する制水弁開閉軸の振れ止金物であって、前記制水弁開閉軸に遊嵌され、かつこの制水弁開閉軸に設けたストッパー上に載置可能に形成されたリング体と、このリング体の外側面から前記筐体の内壁面に向って放射状に延設され、かつこの筐体の内壁面との間に所要の間隙を設けて上方へ所要高さ立ち上げ形成された上部振れ止枠体とからなり、さらにこの上部振れ止枠体の下部に、筐体の内壁面との間に所要の間隙を設けて下方へ所要長さ垂下形成された下部振れ止枠体を一体に設けたものであるから、前記リング体を中心として筐体の内壁面に沿って上方向または下方向に設けた枠体によって、制水弁開閉軸の振れをより安定に極めて効果的に防止することができると共に、前記上部振れ止枠体の上端および下部振れ止枠体の下端に設けた連結杆部間に、障害物回避用の切欠部を設けたものであるから、上、下部振れ止枠体の上、下端連結杆部に設けた障害物回避用の切欠部を利用して筐体内への振れ止金物の挿入、取出しを容易に行うことができ、さらに振れ止金物自体は構造が簡単であり、制水弁開閉軸への取付け取外し操作も簡便となり、コストが安価となるなどの効果がある。
【発明を実施するための最良の形態】
【０００８】  本発明は、制水弁開閉軸に遊嵌され、かつこの制水弁開閉軸に設けたストッパー上に載置可能に形成されたリング体と、このリング体の外側面から、地中に埋設されている筐体の内壁面に向って放射状に延設され、かつこの筐体の内壁面との間に所要の間隙を設けて上方へ所要高さ立ち上げ形成された上部振れ止枠体とからなり、前記地中に埋設されている筐体の内部に設置された制水弁の開閉を操作する制水弁開閉軸の振れをより安定に極めて効果的に防止することができるようにした振れ止金物を提供する。
【実施例１】
【０００９】  以下、図面を参照して本発明に係る振れ止金物の実施の形態を詳細に説明する。
図１は、上部振れ止枠体のみを形成した場合の本発明に係る振れ止金物の実施例１の正面図である。図２は、同上面図である。【００１０】  図１、図２における実施例１に示す本発明に係る振れ止金物１は、図５に示す制水弁開閉軸２に遊嵌され、かつこの制水弁開閉軸２に設けたストッパー４上に載置可能に形成されたリング体５と、このリング体５の外側面５ａから前記筐体３の内壁面３ａに向って放射状に延設（延設部分６）され、かつこの筐体３の内壁面３ａとの間に所要の間隙を設けて上方へ所要高さ立ち上げ形成された上部振れ止枠体７とからなっている。
【実施例２】
【００１１】  図３は、上、下部振れ止枠体を形成した場合の本発明に係る振れ止金物の実施例２の正面図である。図４は、同斜視図である。図５は、本発明に係る振れ止金物の使用状態を示す説明図である。【００１２】  図５に示す２は、地中に埋設されている筐体３の内部に設置された制水弁の開閉を操作する制水弁開閉軸である。４は、この制水弁開閉軸２に放射状に設けた複数の棒状のストッパーである。この実施例２に示す本発明の振れ止金物１は、上部振れ止枠体７の下部に、前記筐体３の内壁面３ａとの間に所要の間隙を設けて下方へ所要長さ垂下形成された下部振れ止枠体８を一体に設けている。【００１３】  しかも、前記上部振れ止枠体７と下部振れ止枠体８は、前記リング体５および延設部分６と共に、所要の材料例えば腐蝕性のステンレスまたは硬質プラスチック製などにより一体に形成されている。【００１４】  また、この実施例２の本発明の振れ止金物１における上部振れ止枠体７の上端および下部振れ止枠体８の下端は、図３、図４に示すような連結杆部９によって一体的に連結されているが、上、下部振れ止枠体７、８自体が強固であれば、必ずしも必要とするものでない。
１０は、前記連結杆部９に設けた障害物回避用の切欠部である。
また、１１は、筐体３内に突出する障害物である。【００１５】  従って、前記障害物回避用の切欠部１０を利用して制水弁開閉軸２の操作時、筐体３内に障害物があっても容易に操作が可能となり、筐体３内への振れ止金物の挿入、取出しも容易に行うことができる。【００１６】  このように上部振れ止枠体７および下部振れ止枠体８を設けた本発明に係る振れ止金物１を、制水弁開閉軸２のストッパー４上に載置し、この制水弁開閉軸２によって地中に埋設されている筐体３の内部に設置された制水弁の開閉を操作する際、前記上部振れ止枠体７および下部振れ止枠体８は、筐体３の内壁面３ａに接触して制水弁開閉軸２の振れをより安定に極めて効果的に防止することができ、操作が簡便となる。
【図面の簡単な説明】
【００１７】
【図１】上部振れ止枠体のみを形成した場合の本発明に係る振れ止金物の実施例１の正面図である。
【図２】同上面図である。
【図３】上、下部振れ止枠体を形成した場合の本発明に係る振れ止金物の実施例２の正面図である。
【図４】同斜視図である。
【図５】本発明に係る振れ止金物の使用状態を示す説明図である。
【符号の説明】
【００１８】１    本発明に係る振れ止金物
２    制水弁開閉軸
３    筐体
３ａ  筐体３の内壁面
４    ストッパー
５    リング体
５ａ  外側面
６    延設部分
７    上部振れ止枠体
８    下部振れ止枠体
９    連結杆部
１０  障害物回避用の切欠部
１１  障害物
【図１】
2005061191.tif 000003
【図２】
2005061191.tif 000004
【図３】
2005061191.tif 000005
【図４】
2005061191.tif 000006
【図５】
2005061191.tif 000007
【手続補正書】
【提出日】平成15年11月10日(2003.11.10)
【手続補正１】
【補正対象書類名】明細書
【補正対象項目名】００１３
【補正方法】変更
【補正の内容】
【００１３】  しかも、前記上部振れ止枠体７と下部振れ止枠体８は、前記リング体５および延設部分６と共に、所要の材料例えば耐腐触性のステンレスまたは硬質プラスチック製などにより一体に形成されている。